【手続補正書】
【提出日】平成28年12月14日(2016.12.14)
【手続補正１】
【補正対象書類名】特許請求の範囲
【補正対象項目名】全文
【補正方法】変更
【補正の内容】
【特許請求の範囲】
【請求項１】
第２の電子デバイスであって、
第１の電子デバイスを制御するため、ユーザインタフェースをユーザに提示するためのディスプレイと、
ユーザからのユーザ入力を受信するための入力受信手段と、
前記第１の電子デバイスの第１の体結合通信インタフェース及び第２の体結合通信インタフェースの直接的近接に同時にあるユーザの体をたどる体伝送チャネルを介して識別データを受信するように構成される第２の体結合通信インタフェースであって、体の直接的近接は、ユーザの体と前記第１の体結合通信インタフェース及び前記第２の体結合通信インタフェースのそれぞれとの間の最大距離として規定され、それぞれの体結合通信インタフェースは、前記体伝送チャネルを介してデータを送信及び／又は受信可能である、第２の体結合通信インタフェースと、
前記第１の電子デバイスの前記識別データの受信に基づいて前記第１の電子デバイスを制御するための制御ユーザインタフェースを取得するように構成され、取得された制御ユーザインタフェースを前記ディスプレイによりユーザに提示するように構成される、コントローラとを有する、第２の電子デバイス。
【請求項２】
当該第２の電子デバイスは、提示された制御ユーザインタフェースに関連したユーザ入力が受信された後に制御データを前記第１の電子デバイスに送信するように構成され、前記制御データは、受信したユーザ入力に基づく、請求項１に記載の第２の電子デバイス。
【請求項３】
前記第２の体結合通信インタフェースは、第１の電子デバイスの前記第１の体結合通信インタフェース及び前記第２の体結合通信インタフェースの直接的近接に同時にあるユーザの体をたどる前記体伝送チャネルを介して制御データを送信するように構成される、請求項２に記載の第２の電子デバイス。
【請求項４】
前記コントローラは、前記第１の電子デバイスに関連する前記制御ユーザインタフェースを、当該第２の電子デバイスの内部記憶装置から、前記体伝送チャネル若しくは前記第１の電子デバイスと前記第２の電子デバイスとの間の他の通信チャネルを介して前記第１の電子デバイスから、又は、ネットワークを介してサーバから、取得するように構成される、請求項１に記載の第２の電子デバイス。
【請求項５】
前記第２の電子デバイスは、異なるタイプのコンテンツを前記ディスプレイ上に提示するように更に構成され、前記コントローラは、受信した識別データに基づいて、及び、ユーザが前記第１の電子デバイスの前記第１の体結合通信インタフェース及び前記第２の体結合通信インタフェースの直接的近接に同時にある時点で前記ディスプレイ上に提示されているコンテンツのタイプに基づいて、前記制御ユーザインタフェースを取得するように構成される、請求項１に記載の第２の電子デバイス。
【請求項６】
第１の電子デバイスの動作を制御するための制御データを受信するための前記第１の電子デバイスであって、
第１の体結合通信インタフェース及び前記体伝送チャネルを介して識別データを受信するように構成された第２の電子デバイスの第２の体結合通信インタフェースの直接的近接にあるユーザの体をたどる体伝送チャネルを介して当該第１の電子デバイスの識別に関連する識別データを送信するように構成される第１の体結合通信インタフェースを有し、
前記直接的近接は、ユーザの体と前記第１の体結合通信インタフェースとの間の最大距離として規定され、
前記第１の体結合通信インタフェースは、前記体伝送チャネルを介してデータを送信及び／又は受信することができ、
当該第１の電子デバイスは、前記識別データを送信した後に、前記第２の電子デバイスから制御データを受信し、当該第１の電子デバイスの動作を適宜制御するように更に構成される、第１の電子デバイス。
【請求項７】
前記第１の体結合通信インタフェースは、前記体伝送チャネルを介して制御データを受信するように構成される、請求項６に記載の第１の電子デバイス。
【請求項８】
第１の電子デバイスを制御するためのシステムであって、
請求項６又は請求項７に記載の第１の電子デバイスと、
請求項１−５のうちいずれか一項に記載の第２の電子デバイスとを有する、システム。
【請求項９】
前記第１の電子デバイスは、ワイヤレス伝送チャネルを介して他のデバイスと通信するための第１のワイヤレストランシーバを有し、
前記第２の電子デバイスは、ワイヤレス伝送チャネルを介して他のデバイスと通信するための第２のワイヤレストランシーバを有し、
前記第１の体結合通信インタフェースは、前記体伝送チャネルを介してワイヤレス接続を設定するための接続セットアップデータを送信するように構成され、
前記第２の体結合通信インタフェースは、前記体伝送チャネルを介して接続セットアップデータを受信するように構成され、
前記第２の電子デバイスのコントローラは、受信した接続セットアップデータを用いて前記第２のワイヤレストランシーバと前記第１のワイヤレストランシーバとの間のワイヤレス接続の生成を制御するように構成され、
前記第２の電子デバイスは、前記ワイヤレス接続を介して前記制御データを送信するように構成される、請求項８に記載のシステム。
【請求項１０】
異なる電子デバイスの制御ユーザインタフェースを格納するためのサーバを更に有し、
前記サーバは、特定のネットワークに接続するためのネットワークインターフェースを有し、
前記サーバは、前記第１の電子デバイスのための制御ユーザインタフェースを供給するためのリクエストの受信に基づいて前記第１の電子デバイスに関連した前記制御ユーザインタフェースを前記第２の電子デバイスに供給するように構成され、
前記特定のネットワーク及び前記第２の電子デバイスに接続するためのネットワークインターフェースを有する前記第２の電子デバイスは、前記第１の電子デバイスに関連した前記制御ユーザインタフェースを取得している間、前記リクエストを前記特定のネットワークを介して前記サーバに送信するように構成される、請求項８に記載のシステム。
【請求項１１】
第２の電子デバイスから第１の電子デバイスを制御する方法であって、
前記第１の電子デバイスの第１の体結合通信インタフェースを介する体伝送チャネルを介して前記第１の電子デバイスの識別に関連した識別データを送信する段階と、
前記第１の体結合通信インタフェース及び第２の体結合通信インタフェースの直接的近接に同時にあるユーザの体をたどる前記体伝送チャネルを介して前記第２の電子デバイスの前記第２の体結合通信インタフェースにおいて前記識別データを受信する段階であって、体の前記直接的近接は、ユーザの体と前記第１の体結合通信インタフェース及び前記第２の体結合通信インタフェースのそれぞれとの間の最大距離として規定され、それぞれの体結合通信インタフェースは、前記体伝送チャネルを介してデータを送信及び／又は受信することが可能である、段階と、
前記識別データの受信に基づいて前記第１の電子デバイスを制御するための制御ユーザインタフェースを取得する段階と、
取得された制御ユーザインタフェースを前記第２の電子デバイスのディスプレイ上に提示する段階とを有する、方法。
【請求項１２】
提示されたユーザインタフェースに関連したユーザ入力を前記第２の電子デバイスの入力受信手段において受信する段階と、
前記ユーザ入力が受信された後に、制御データを前記第２の電子デバイスから前記第１の電子デバイスに送信する段階であって、前記制御データは、受信したユーザ入力に基づく、段階と、
前記第１の電子デバイスにおいて前記制御データを受信する段階と、
受信した制御データに従って前記第１の電子デバイスの動作を制御する段階とを更に有する、請求項１１に記載の方法。
【請求項１３】
請求項１１に記載の方法をプロセッサシステムに実行させるか又は請求項１２に記載の方法をプロセッサシステムに実行させるための命令を有する、コンピュータプログラム製品。